(57)【要約】【課題】家具のレイアウト性の向上を図ることができるとともに、室内空間をムラなく換気することが可能な建物の空調システムを提供する。【解決手段】建物の空調システムは、基礎２の上に立設された複数の壁体３によって周囲を囲われた室内空間１１，１２と、各壁体３との間に隙間Ｓ１を空けた状態で、基礎２から上方に離間した位置に配置された床版４１と、床版４１によって室内空間１１，１２と仕切られた床下空間１３，１４と、室内空間１１，１２に空調された空気を供給する空調装置７と、室内空間１１，１２から床下空間１３，１４に、隙間Ｓ１を介して、空調された空気を移動させる排気装置９と、を備える。【選択図】図１
2012021732.tif 000002
【特許請求の範囲】
【請求項１】
支持体の上に立設された複数の壁体によって周囲を囲われた室内空間と、
前記壁体との間に第１の隙間を空けた状態で、前記支持体から上方に離間した位置に配置された床版と、
前記床版によって前記室内空間と仕切られた床下空間と、
前記室内空間及び前記床下空間の一方に空調された空気を供給する空調手段と、
前記室内空間及び前記床下空間の一方から他方に、前記第１の隙間を介して、前記空調された空気を移動させる空気移動手段と、
を備えることを特徴とする建物の空調システム。
【請求項２】
前記壁体と前記床版とで構成される隅部に沿って設置される巾木を更に備え、
前記巾木は、
水平方向に互いに間隔を隔てて前記壁体に取り付けられた複数のスペーサと、
前記複数のスペーサに跨って取り付けられ、前記壁体に対して第２の隙間を空けて設置された巾木本体と、
前記巾木本体に対して上方に離間して前記壁体に取り付けられた突条部材と、
前記巾木本体と前記突条部材との間に形成された第３の隙間を覆うフィルタ部材と、を備えることを特徴とする請求項１に記載の建物の空調システム。
【請求項３】
前記空調手段は、前記室内空間に空調された空気を供給し、
前記空気移動手段は、前記床下空間の空気を外部に排出することにより、前記室内空間から前記床下空間に、前記第１乃至第３の隙間を介して、前記空調された空気を移動させることを特徴とする請求項２に記載の建物の空調システム。
【請求項４】
複数の前記室内空間と複数の前記床下空間と複数の前記床版と、を有し、
前記支持体は、前記各床下空間の底面を構成するスラブ部と、前記スラブ部から立ち上がって前記各壁体の下端部を支持する立ち上がり部と、を有し、
前記各室内空間の周囲を囲う前記壁体は、建物の外壁となる外壁部と前記室内空間同士を区画する間仕切り壁部と、を有し、
前記外壁部と前記立ち上がり部との間には、シール部材を備えた気密性基礎パッキンが介設されるとともに、前記間仕切り壁部と前記立ち上がり部との間には、隣り合う床下空間同士を連通する通気路を備えた通気性基礎パッキンが介設されていることを特徴とする請求項３に記載の建物の空調システム。
【発明の詳細な説明】
【技術分野】
【０００１】
本発明は、室内空間と床下空間とを有する建物の空調システムに関する。
【背景技術】
【０００２】
従来、建物の床下は空気の流れが悪いため湿度が高くなりやすい。そのため、カビ等が繁殖して悪臭が発生することがあった。また、床下の木材が吸湿してしまうと、含水率が高くなり耐久性が低下するおそれがあった。そこで、建物の床下の環境を改善するために、床下空間に連通する通気口を居室の床に形成するとともに、床下の基礎に排気ブロアを設け、排気ブロアを駆動することにより、床下空間の空気を建物外部に排出しつつ、居室の空気を床下空間に導入することが行われている（例えば特許文献１参照）。
【０００３】
また、木造住宅は、熱容量が小さいため、ＲＣ造に比べて室温が外気温に左右されやすい。そこで、基礎コンクリートに蓄熱させることにより、室温の安定化と省エネルギー化を図るために、床下空間に室内空間の暖かい空気を導入することが行われている。
【先行技術文献】
【特許文献】
【０００４】
【特許文献１】特開２００４−２３２９９９号公報
【発明の概要】
【発明が解決しようとする課題】
【０００５】
しかし、通気口を床の所定箇所に設けると、通気口を塞がないように家具を設置する必要があり、家具を思い通りにレイアウトすることができないという問題があった。
一方、空調装置の噴き出し口に近い位置に通気口を形成すると、空気の流れにショートサーキット（短絡）が生じてしまい、空調された空気が室内に均等に行き渡らず、空気溜りができてしまうことがある。つまり、通気口を設ける位置は、空気の流れと家具の配置の両面から制約を受けるので、両方を満足することは難しかった。
また、通気口を複数個所に設ける場合、通気口の周囲を補強したりガラリを個別に設置する必要が生じ、施工の手間や材料の増加を招くという問題があった。
【０００６】
また、基礎の立ち上がり部によって複数の床下空間が互いに仕切られている場合、それぞれの床下空間の空気は、立ち上がり部に形成された人通口を通って排気ブロアに流れるが、排気ブロアから遠い場所では排気抵抗が大きくなってしまい、床下空間の換気にムラが生じることがあった。
【０００７】
本発明は、かかる問題を解決するために成されたものであり、家具のレイアウト性の向上を図ることができるとともに、室内空間をムラなく換気することが可能な建物の空調システムを提供することを課題とする。
また、本発明は、床下空間をムラなく換気することが可能な建物の空調システムを提供することを他の課題とする。
【課題を解決するための手段】
【０００８】
本発明に係る建物の空調システムは、支持体の上に立設された複数の壁体によって周囲を囲われた室内空間と、前記各壁体との間に第１の隙間を空けた状態で、前記支持体から上方に離間した位置に配置された床版と、前記床版によって前記室内空間と仕切られた床下空間と、前記室内空間及び前記床下空間の一方に空調された空気を供給する空調手段と、前記室内空間及び前記床下空間の一方から他方に、前記第１の隙間を介して、前記空調された空気を移動させる空気移動手段と、を備えることを特徴とする。
【０００９】
かかる構成によれば、第１の隙間によって、床版の全周にわたって通気口が形成されているので、家具を配置しても通気口全体がふさがってしまうことがない。また、床版の周囲全体から空気が流出又は流入するので、ショートサーキットが生じ難い。そのため、家具を自由に配置することができ、かつ、室内空間をムラなく換気することができる。
また、床版の設置と巾木の設置に付随して、第１の隙間と第２の隙間とが形成されるので、通気口の設置に専用の手間や材料をほとんど必要とせず、施工の手間や材料の増加を抑制することができる。
【００１０】
また、本発明は、前記壁体と前記床版とで構成される隅部に沿って設置される巾木を更に備え、前記巾木は、水平方向に互いに間隔を隔てて前記壁体に取り付けられた複数のスペーサと、前記複数のスペーサに跨って取り付けられた巾木本体と、前記巾木本体に対して上方に離間して前記壁体に取り付けられた突条部材と、前記巾木本体と前記突条部材との間に形成された第３の隙間を覆うフィルタ部材と、を備える構成とするのが好ましい。
【００１１】
かかる構成によれば、水平方向に互いに間隔を隔てて前記壁体に取り付けられた複数のスペーサに跨るようにして巾木本体を取り付けることによって、第２の隙間を容易に形成することができる。また、巾木本体に対して上方に離間して壁体に突条部材を取り付けることによって、第２の隙間とフィルタ部材とを目立たなくして意匠性を向上させることができる。
【００１２】
また、前記空調手段は、前記室内空間に空調された空気を供給し、前記空気移動手段は、前記床下空間の空気を外部に排出することにより、前記室内空間から前記床下空間に、前記第１乃至第３の隙間を介して、前記空調された空気を移動させるように構成するのが好ましい。
【００１３】
かかる構成によれば、空調された空気を床下空間に導入することによって、床下空間の環境を室内空間と同等にすることができる。そのため、床下空間が高湿度になることを抑制することができ、悪臭の発生や木材の耐久性の低下を抑制することができる。
【００１４】
また、本発明に係る建物の空調システムは、複数の前記室内空間と複数の前記床下空間と複数の前記床版と、を有し、前記支持体は、前記各床下空間の底面を構成するスラブ部と、前記スラブ部から立ち上がって前記各壁体の下端部を支持する立ち上がり部と、を有し、前記各室内空間の周囲を囲う前記壁体は、建物の外壁となる外壁部と前記室内空間同士を区画する間仕切り壁部と、を有し、前記外壁部と前記立ち上がり部との間には、シール部材を備えた気密性基礎パッキンが介設されるとともに、前記間仕切り壁部と前記立ち上がり部との間には、隣り合う床下空間同士を連通する通気路を備えた通気性基礎パッキンが介設されている構成とするのが好ましい。
【００１５】
かかる構成によれば、外壁部と立ち上がり部との間には、シール部材を備える気密性基礎パッキンが配置されているので、床下空間全体の気密性を向上させることができる。さらに、間仕切り壁部と立ち上がり部との間には、連通路を有する通気性基礎パッキンが配置されているので、床下空間相互の排気抵抗を低減することができる。また、各立ち上がり部に沿って（換言すれば、各壁体に沿って）通気口となる第１の隙間が形成されているので、各床下空間に空調された空気をムラなく導入することができる。そのため、複数の床下空間をムラなく換気することができる。
【発明の効果】
【００１６】
本発明によれば家具のレイアウト性の向上を図ることができるとともに、室内空間をムラなく換気することが可能な建物の空調システムを提供することができる。
また、本発明によれば、床下空間をムラなく換気することが可能な建物の空調システムを提供することができる。
【図面の簡単な説明】
【００１７】
【図１】建物の概略断面図である。
【図２】（ａ）は巾木の斜視図であり、（ｂ）は巾木の分解斜視図である。
【図３】気密性基礎パッキンの概略斜視図である。
【図４】通気性基礎パッキンの概略斜視図である。
【図５】建物の基礎の平面図である。
【発明を実施するための形態】
【００１８】
本発明の実施形態に係る建物の空調システムについて図面を参照して詳細に説明する。説明において、同一の要素には同一の符号を付し、重複する説明は省略する。
【００１９】
図１に示すように、建物１は、例えば木造で建築された住宅であり、支持体である基礎２と、基礎２の上に立設された複数の壁体３と、基礎２から上方に離間した位置に設置された二重床４の床版４１と、壁体３と床版４１とで構成される隅部に沿って設けられた巾木５と、複数の壁体３の上に設置された天井６と、建物１の空調を行う空調装置７と、を主に有している。また、建物１は、一階部分に室内空間１１，１２を有しているとともに、室内空間１１，１２、の下方に、床下空間１３，１４を有している。
建物１の建築方法は、特に限定されるものではなく、軸組工法、枠組壁工法など、公知の工法を採用することができる。また、建物１は、高気密住宅でもよいし、そうでなくてもよい。
【００２０】
基礎２は、建物１を支持するための鉄筋コンクリート製の部材である。基礎２は、床下空間１３，１４の底面を構成する盤状のスラブ部２１と、壁体３の設置位置に沿ってスラブ部２１から立ち上がる立ち上がり部２２と、を有している。建物１の外周に位置する立ち上がり部２２の内側面には、断熱材２３が設置されている。断熱材２３は、例えばガラス繊維マットや発泡ポリウレタンなどで構成されている。
【００２１】
壁体３は、室内空間１１の周囲を囲う部材であり、基礎２の立ち上がり部２２の上に設置されている。壁体３は、立ち上がり部２２の天端に固定された土台３１と、土台３１の上に立設された壁下地３２と、壁下地３２の屋内側に取り付けられた内装材３３と、壁下地３２の屋外側に取り付けられた外装下地材（図示省略）及び外装材３４と、を主に備えている。なお、立ち上がり部２２と土台３１との間には、基礎パッキン８が介設されている。
壁体３は、建物の外壁となる外壁部３Ａと、室内空間１１，１２同士を区画する間仕切り壁部３Ｂと、を有している。
【００２２】
二重床４は、基礎２のスラブ部２１から上方に離間した位置に設置された床版４１と、床版４１を支持する複数の床束４２と、を備えている。床版４１は、各室内空間１１，１２の床面を構成するとともに、各床下空間１３，１４の上面を構成している。床版４１は、例えば、床下地４３と、床下地４３の上面に取り付けられたフローリングなどの仕上げ材４４と、を有している。床版４１は、各室内空間１１，１２の周囲を囲う複数の壁体３に対して一定の隙間Ｓ１を空けて設置されている。
床束４２は、例えば伸縮自在に構成された鋼製の部材であり、床版４１とスラブ部２１との間に介在して、床版４１の高さを調節できるようになっている。
なお、本実施形態では、床版４１を二重床構造で支持する構成としたが、これに限定されるものではなく、例えば、床根太などを用いた在来工法的な床組みで、床版４１を支持してもよい。
【００２３】
巾木５は、壁体３の下部を保護する部材である。巾木５は、壁体３と床版４１とによって形成された隅部に沿って、室内空間１１，１２の内側を囲うように、壁体３に対して隙間Ｓ２を空けて取り付けられている。巾木５については図２を参照して後に詳しく説明する。
【００２４】
天井６は、室内空間１１，１２の天井面を構成するとともに、２階の床を構成する部材である。天井６は、中空構造になっており、その内部には空調装置７からの空気を室内空間１１，１２に導くためのダクト７１が設置されている。本実施形態では、ダクト７１は途中で二股に分岐されており、一方のダクト７１ａは室内空間１１に開口し、他方のダクト７１ｂは室内空間１２に開口している。
【００２５】
空調装置７は、取り込んだ空気の温度や湿度を調節し、その空調した空気を室内空間１１，１２に供給する装置である。空調装置７は、例えば、小屋裏空間や屋外などに設置されている。空調装置７から送り出された空気は、ダクト７１を介して室内空間１１，１２にそれぞれ供給される。
なお、空調装置７は、全館空調システムでもよいし、個別空調システム（いわゆるエアコン）でもよい。
【００２６】
基礎パッキン８は、基礎２と土台３１との間に介在して、土台３１が基礎２の湿気を吸湿することを防止する部材である。基礎パッキン８は、基礎２の立ち上がり部２２の上面に連続的に設置されている。
基礎パッキン８は、外壁部３Ａの下方に設置された気密性基礎パッキン８Ａと、間仕切り壁部３Ｂの下方に設置された通気性基礎パッキン８Ｂの２種類で構成されている。基礎パッキン８については図３乃至図５を参照して後に詳しく説明する。
【００２７】
図１の右側の床下空間１４には、床下空間１４の空気を外部に排出するための空気移動手段である排気装置９が設置されている。排気装置９は、ファン９１と、排気ダクト９２とから構成されている。床下空間１４の外壁を構成する立ち上がり部２２には、排気ダクト９２を設置するための貫通孔２２ａが形成されている。
【００２８】
なお、本実施形態では、排気ダクト９２の屋外側の端部は、単に外気に開口しているが、図示しない循環パイプを介して空調装置７の空気取入口に連結されるように構成してもよい。このようにすれば、建物１内の空調された空気を有効利用することができ、熱効率を向上させることができる。
【００２９】
次に、本実施形態の巾木について図２を参照して詳細に説明する。
【００３０】
図２（ａ），（ｂ）に示すように、巾木５は、水平方向に互いに間隔を隔てて壁体３に取り付けられた複数のスペーサ５１と、複数のスペーサ５１に跨って取り付けられた巾木本体５２と、巾木本体５２に対して上方に離間して壁体３に取り付けられた突条部材５３と、巾木本体５２と突条部材５３との間に形成された隙間Ｓ３を覆うフィルタ部材５４と、を備えている。
【００３１】
スペーサ５１は、長方体形状を呈する薄板状の部材である。スペーサ５１の厚さ寸法は、壁体３と床版４１の隙間Ｓ１の厚さ寸法に略等しく設定されており、具体的には、例えば４ｍｍ程度に設定されている。
なお、床版４１の仕上げ材４４を設置する前にスペーサ５１を壁体３に取り付けておき、仕上げ材４４が壁体３の内装材３３に当接させないための目印としてスペーサ５１を利用すると、施工が容易である。
【００３２】
巾木本体５２は、細長い薄板状の部材であり、複数のスペーサ５１に跨って取り付けられている。これにより、隣り合うスペーサ５１，５１と巾木本体５２と壁体３とに囲まれた空間に、隙間Ｓ２が形成されることとなる。隙間Ｓ２は、隙間Ｓ１と連通している。
【００３３】
突条部材５３は、壁体３の表面から突出する長尺部材であり、巾木本体５２の上端部から上方に離間した状態で、壁体３の内装材３３に取り付けられている。これにより、スペーサ５１及び巾木本体５２と、突条部材５３との間に隙間Ｓ３が形成されることとなる。隙間Ｓ３の巾は、例えば５ｍｍ程度に設定される。隙間Ｓ３は、隙間Ｓ２と室内空間１１，１２とを連通している。つまり、隙間Ｓ１、Ｓ２，Ｓ３は、室内空間１１，１２と床下空間１３，１４とを連通する通気路Ｓを構成している。
【００３４】
フィルタ部材５４は、通気路Ｓからほこりや害虫が侵入するのを防止するための部材であり、例えば網目の細かいネットなどで構成されている。フィルタ部材５４の下端縁５４ａは、スペーサ５１と巾木本体５２との間に挟持されている。また、フィルタ部材５４の上端縁５４ｂは、壁体３（内装材３３）と突条部材５３との間に挟持されている。
なお、図示は省略するが、巾木本体５２の裏面の上端縁に両面テープを設置して、フィルタ部材５４の下端縁５４ａを巾木本体５２に先付けしておくと、施工が容易である。
【００３５】
ちなみに、突条部材５３は、壁体３から突出して隙間Ｓ２の上側開口部を覆っている。そのため、隙間Ｓ２やフィルタ部材５４が目立たなくなり、意匠性を向上することができる。また、突条部材５３の厚さ寸法は、スペーサ５１の厚さ寸法と巾木本体５２の厚さ寸法とを合計した値よりも小さい。つまり、巾木本体５２は、突条部材５３よりも室内側に突出している。そのため、巾木本体５２に密着して家具を配置しても、隙間Ｓ３が塞がることがない。
【００３６】
次に、図３乃至図５を参照して、気密性基礎パッキン８Ａ及び通気性基礎パッキン８Ｂの構造について詳細に説明する。
【００３７】
図３に示すように、気密性基礎パッキン８Ａは、硬質ゴムなどで形成された樹脂製の部材であり、パッキン本体８Ａａと、シール部８Ａｂとを有している。
パッキン本体８Ａａは、細長い長方体形状を呈しており、その中央には長手方向に沿って３つの肉抜き孔８Ａｃが形成されている。
シール部８Ａｂは、パッキン本体８Ａａの長手方向に沿って、肉抜き孔８Ａｃの両側に１条ずつ（合計２条）設置されている。シール部８Ａｂは、例えば、ウレタンゴムやブチルゴムなどで構成されており、その上に土台３１が載置されたときに潰れてパッキン本体８Ａａと土台３１との間を気密に封鎖するようになっている。
【００３８】
図４に示すように、通気性基礎パッキン８Ｂは、硬質ゴムなどで形成された樹脂製の部材であり、パッキン本体８Ｂａと、複数の連通路８Ｂｂとを有している。
パッキン本体８Ｂａは、細長い長方体形状を呈しており、その中央には長手方向に沿って３つの肉抜き孔８Ｂｃが形成されている。
連通路８Ｂｂは、パッキン本体８Ｂａの短手方向に貫通形成された貫通孔である。連通路８Ｂｂは、肉抜き孔８Ｂｃが形成されていない部分では、パッキン本体８Ｂａの短手方向の側面同士を連通している。また、連通路８Ｂｂは、肉抜き孔８Ｂｃが形成されている部分では、パッキン本体８Ｂａの短手方向の側面と肉抜き孔８Ｂｃとを連通している。
【００３９】
図５は、建物１の基礎２の立ち上がり部２２を模式的に描いた平面図である。なお、図５は、一般的な住宅の基礎の立ち上がり部を例示したものである。
図５に示すように、気密性基礎パッキン８Ａは、建物１の外壁部３Ａ（図１参照）に沿って設けられた立ち上がり部２２の天端に設置されている。これにより、複数の床下空間１３，１４（図１参照）が、全体として気密状態となり、建物１の外部から空気が流入することを抑制できる。
【００４０】
一方、通気性基礎パッキン８Ｂは、間仕切り壁部３Ｂ（図１参照）の下方に設けられた立ち上がり部２２の天端に設置されている。これにより、複数の床下空間１３，１４（図１参照）が、通気性基礎パッキン８Ｂの連通路８Ｂｂを介して連通した状態となり、排気抵抗が低下するので、複数の床下空間１３，１４同士の空気の移動がスムーズになる。
【００４１】
次に、本実施形態に係る建物の空調システムの動作及び作用効果について、図１（適宜図２乃至図５）を参照して説明する。
【００４２】
まず、空調装置７の図示しない操作スイッチを操作して、室内空間１１，１２の温度及び湿度などを設定し、空調装置７の運転を開始する。そうすると、空調装置７は、取り込んだ空気を設定した温度及び湿度に空調し、室内空間１１，１２に、ダクト７１を介して空調した空気を供給する。
【００４３】
空調装置７の運転を開始するのに連動して、排気装置９の運転を開始することにより、床下空間１４の空気を、床下空間１４の外部に排出する。
そうすると、床下空間１４の気圧が低下するため、床下空間１４の上方にある室内空間１２の空気が、通気路Ｓを介して床下空間１４に流入するとともに、床下空間１４に隣接する床下空間１３の空気が、通気性基礎パッキン８Ｂの連通路８Ｂｂを介して床下空間１４に流入する。
さらに、床下空間１３の気圧が低下するため、床下空間１３の上方にある室内空間１１の空気が、通気路Ｓを介して床下空間１３に流入する
【００４４】
このとき、通気路Ｓは、床版４１の周囲に沿って環状に形成されているので、床版４１の周囲全部が排気口となり、ショートサーキットや空気溜りが生じることがなく、室内空間１１，１２をムラなく換気（空調）することができる。これにより、室内空間１１，１２の冷暖房効率が向上し、快適性が向上する。
【００４５】
また、通気路Ｓは、床版４１の周囲に沿って環状に形成されているので、どのように家具を配置したとしても、通気路Ｓが全部塞がれてしまうことがない。そのため、家具を自由に配置することができ、家具のレイアウト性が向上する。
【００４６】
また、通気路Ｓは、巾木５の上端部付近に開口しているので、床全体にカーペットなどを敷き詰めた場合でも塞がれることがない。また、巾木本体５２は、突条部材５３よりも室内側に突出しているので、巾木本体５２に密着して家具を配置しても、隙間Ｓ３が塞がることがない。
【００４７】
また、１階のすべての室内空間１１，１２の床版４１の周囲に通気路Ｓが形成されているので、室内空間１１，１２同士を必ずしも連通させる必要がない。そのため、室内ドアの下側にアンダーカット部やガラリを設けて通気路を確保しなくてもよいので、音漏れを容易に抑制することができる。
【００４８】
また、間仕切り壁部３Ｂの下方に設置された通気性基礎パッキン８Ｂは、複数の連通路８Ｂｂを有しており、かつ、間仕切り壁部３Ｂの下方に設置された立ち上がり部２２の天端全域に設置されているので、従来のように立ち上がり部２２の人通口のみによって複数の床下空間同士が連通している場合に比較して、床下空間１３，１４をムラなく換気することができる。
【００４９】
また、室内空間１１，１２の空調された空気が、床下空間１３，１４に導入されるので、床下空間１３，１４の温度環境、湿度環境が、室内空間１１，１２と同等になる。また、外壁部３Ａの下方に設置された気密性基礎パッキン８Ａは、シール部８Ａｂを備えているので、床下空間１３，１４の気密性、断熱性を高めることができる。そのため、床下空間１３，１４が室内空間１１，１２に悪影響を与えることがなく、建物１の空調効率を向上することができる。
【００５０】
以上、本発明の好適な実施形態について、図面を参照して説明したが、本発明はこの実施形態に限定されるものではなく、本発明の主旨を逸脱しない範囲で適宜変更することができる。
【００５１】
例えば、本実施形態では、室内空間１１，１２に空調された空気を送り、床下空間１４の空気を排気することで、室内空間１１，１２から床下空間１３，１４に空調された空気を移動させることとしたが、本発明はこれに限定されるものではなく、床下空間１３，１４に空調された空気を先に送り、室内空間１１，１２の空気を排気することで、床下空間１３，１４から室内空間１１，１２に空調された空気を移動させるようにしてもよい。このようにした場合でも、本実施形態と同様の作用効果を得ることができる。
【００５２】
また、本実施形態では、壁体３と床版４１との間に形成した隙間Ｓ１が、巾木５を介して室内空間１１，１２と連通するように構成したが、巾木５を介さないで連通する構成としてもよい。
【００５３】
また、本実施形態では、建物１の一例として戸建て住宅を用いたが、マンションなどの集合住宅に適用することも可能である。その場合には、マンションの構造躯体（例えばコンクリートスラブ等）が支持体となる。
【符号の説明】
【００５４】
１      建物
２      基礎
２１    スラブ部
２２    立ち上がり部
２３    断熱材
３      壁体
３１    土台
４      二重床
４１    床版
４２    床束
５      巾木
５１    スペーサ
５２    巾木本体
５３    突条部材
５４    フィルタ部材
６      天井
７      空調装置
７１    ダクト
８      基礎パッキン
８Ａ    気密性基礎パッキン
８Ｂ    通気性基礎パッキン
９      排気装置
９１    ファン
９２    排気ダクト
Ｓ      通気路
Ｓ１    隙間（第１の隙間）
Ｓ２    隙間（第２の隙間）
Ｓ３    隙間（第３の隙間）
【図１】
2012021732.tif 000003
【図２】
2012021732.tif 000004
【図３】
2012021732.tif 000005
【図４】
2012021732.tif 000006
【図５】
2012021732.tif 000007